Podtech/llm-jp-corpus-v4-ja_patent huggingface dataset:
(57)【要約】      （修正有）【課題】鉄製の壁面であれば、接着が可能であり、用紙を容易にはさみ、差し込みが出来、引くだけで用紙を取りはずすことができる文具クリップを提供する。【解決手段】文具クリップは、マグネット盤５と、マグネット盤の先端に一対の螺旋状の刻みローラ６を有し、螺旋状の刻みローラを、対面に逆方向に取付ける。【選択図】図１
0003211964.tif 000002
【実用新案登録請求の範囲】
【請求項１】
本考案の文具クリップは鉄製の壁面であれば、何処でも、接着が可能であり、ローラー方式により、容易に用紙等をはさみ、及び、差し込みが出来ます。
引くだけで、用紙等が、簡易に、取りはずしが出来ます。
【考案の詳細な説明】
【技術分野】
【０００１】文具クリップに関する。
【背景技術】
【０００２】用紙等を簡易にはさみ引く抜く事が可能となる。
【考案の概要】
【考案が解決しようとする課題】
【０００３】従来型では、はさむ事は出来ても、簡易に引き抜く機能がなく、ローラー方式により、落ちにくく、はずし易くなる。
【課題を解決するための手段】
【０００４】本考案は、上記の問題を解決する為、螺施状の刻みローラーを、付加し、挟力を利用し、用紙等の落下を防ぎ、用紙等の引き抜きを、簡易にした。
【考案の効果】
【０００５】上記のように、従来型では用紙等の引き抜が、出来なかった事が可能となる。
【図面の簡単な説明】
【０００６】
【図１】本考案の主たる構造を表わす側面図である。
【図２】本クリップの正面図である。
【図３】本クリップのローラー部分である
【産業上の利用可能性】
【０００７】同様のクリップは、流通がなく、事務への負担が軽減され、作業上の効果が、期待できるものです。
【符号の説明】
【０００８】１  クリップの押え方
２  ２、５を連動する
３  バネの押し付けピン
４  ３、と同じ
５  マグネット盤
６  螺施状ローラー
７  ローラーをカバーし、耐久力を持たす
８  バネ
９  １のフリップ押え方
１０  ローラーの受け軸及びカバー
１１  ローラーの本体
１２  １０、と同じ
１３    ローラーの本体
１４  軸の凸部分になる
１５  軸の凹部分になる
１６  ローラーの受け軸
【図１】
0003211964.tif 000003
【図２】
0003211964.tif 000004
【図３】
0003211964.tif 000005
【手続補正書】
【提出日】平成29年6月8日(2017.6.8)
【手続補正１】
【補正対象書類名】実用新案登録請求の範囲
【補正対象項目名】全文
【補正方法】変更
【補正の内容】
【実用新案登録請求の範囲】
【請求項１】
文具クリップは、マグネット盤を有することにより、鉄製の壁面であれば、何処でも接着は、可能であり、螺旋型のの、ローラーの形状１対にして、ローラーの刻みを、逆方向にすることで、対象物は落下せず、対象物に引く力を、加えれば、スムーズな回転になり、簡単にとりはずしが、出来る文具クリップ。
(57)【要約】      （修正有）【課題】現代多忙に働く人たちの睡眠環境を改善する岩塩枕を提供する。【解決手段】ミネラルを含んだ天然岩塩と植物を粒にし、持続的に使用できる素材で包み込んだことを特徴とする。枕の中に上記素材を使用することにより安眠を得られる。【選択図】図２
0003211963.tif 000002
【実用新案登録請求の範囲】
【請求項１】
安眠枕ＢＲＡＩＮ  ＢＥＳＴは大地が３億年かけて育んだヒマラヤ岩塩と上質の植物を基調にした脳を休めるまくらです。
ＢＲＡＩＮ  ＲＥＳＴで寝る事により岩塩の効果と上質な植物を入れる事によって心を落ち着かせより深い睡眠へと誘い脳をしっかり休める事でしょう。
【考案の詳細な説明】
【技術分野】
【０００１】本考案は、天然ミネラルを含んだ岩塩と植物を持続的に使用できる素材で包み込んだ塩枕に関するものである。
【背景技術】
【０００２】古来より伝承の健康法「頭寒足熱」の頭寒を天然岩塩のヒンヤリ感で行い植物を用いた香りで身体をリラックスさせ安眠へ導く
【考案の概要】
【考案が解決しようとする課題】
【０００３】スマホにパソコン、電子書籍等を多様する現代人を取り巻く睡眠の環境は良いとは言えず睡眠環境を改善する枕の開発が必要だった
【考案が解決するための手段】
【０００４】人体と同じ割合でミネラルが含まれている栄養価の高いアルカリ性の天然岩塩と植物を粒にし、持続的に使用可能で岩塩のヒンヤリ感と植物の香りを損なわない素材で包むことで構成した塩まくらで安眠へ導く
【考案の効果】
【０００５】凡そ不均一な砕石状の天然岩塩と植物の粒が、後頭部や首筋をソフトに刺激し頭を適度に冷やしながら植物の香りにより身体をリラックスさせることで質の良い睡眠に導き自己の健康回復能力を促進させることが出来る
【図面の簡単な説明】
【０００６】
【図１】  本体図
【図２】  カバー図
【符号の説明】
【０００７】１枕の本体
２ステッチ
３内部側面
４カバー
５本体出し入れ口
【図１】
0003211963.tif 000003
【図２】
0003211963.tif 000004
【手続補正書】
【提出日】平成29年4月18日(2017.4.18)
【手続補正１】
【補正対象書類名】実用新案登録請求の範囲
【補正対象項目名】全文
【補正方法】変更
【補正の内容】
【実用新案登録請求の範囲】
【請求項１】
ミネラルを含んだ天然岩塩と植物を粒にし、持続的に使用できる素材で包み込んだことを特徴とする岩塩枕。
(57)【要約】      （修正有）【課題】美容の効果をあげるために、薬液等を保持させたヘアブラシのピンを提供する。【解決手段】多数の細い合成樹脂繊維を結束し、その間隙に、毛細管現象により薬液を吸着させる。ブラッシングすると髪の毛、頭皮に薬液を塗布することができる。【選択図】図１
0003211980.tif 000002
【実用新案登録請求の範囲】
【請求項１】
多数の細い合成樹脂繊維を結束した事を特徴とするヘアブラシのピン。
【請求項２】
毛細管現象により水分、油分を吸着するための間隙を持つヘアブラシのピン。
【考案の詳細な説明】
【技術分野】
【０００１】本考案は髪の毛をとかすヘアブラシに関するものである。
【背景技術】
【０００２】従来のヘアブラシはただ髪の毛をこするだけである。
【考案の開示】
【考案が解決しようとする課題】
【０００３】従来のヘアブラシは髪の毛をこするだけであるが、美容の効果をあげるためピンに薬剤等を保持させる必要がある。
【課題を解決するための手段】
【０００４】本考案の多数の細い合成樹脂繊維を結束し、その間隙が毛細管現象により水分、油分を吸着する事を特徴とするピンを装着したヘアブラシを提供する。
【考案の効果】
【０００５】［図１］が本考案で作ったブラシのピンであり、これを薬液の中に浸すと合成繊維の間隙に毛細管現象で薬液を［図２］のように吸着する。これで髪をとかすと、薬液を頭皮や髪に塗布することができる。
【実施例】
【０００６】［図１］が本考案のブラシのピンであり、［図２］が本考案のブラシのピンが毛細管現象により  薬液を吸着した状態。髪の毛に触れると薬液が髪の毛に移行する。
【産業上の利用可能性】
【０００７】育毛剤、トリートメント等を吸着したブラシのピンが手を汚さずに効率よく薬液を塗布することができる。
【図面の簡単な説明】
【０００８】
【図１】本考案のブラシのピン。
【図２】本考案のブラシのピンが水分、油分を吸着した状態。
【図１】
0003211980.tif 000003
【図２】
0003211980.tif 000004
【手続補正書】
【提出日】平成29年6月7日(2017.6.7)
【手続補正１】
【補正対象書類名】実用新案登録請求の範囲
【補正対象項目名】全文
【補正方法】変更
【補正の内容】
【実用新案登録請求の範囲】
【請求項１】
多数の細い合成樹脂繊維を結束したことを特徴とするヘアブラシのピン。
【請求項２】
毛細管現象により水分、油分を吸着するための間隙を持つことを特徴とする請求項１に記載のヘアブラシのピン。
(57)【要約】      （修正有）【課題】透析の回路をしっかり固定できると同時に皮膚刺激の少ない透析回路固定用の粘着テープを提供する。【解決手段】透析回路固定用の粘着テープは支持体１と、粘着層が順に積層され、この粘着テープの中央部の粘着層が強粘着３、両端部の粘着層が弱粘着２であることを特徴としている。このような構成にすることにより、回路をしっかり固定できると同時に、皮膚刺激の少ない粘着テープを提供できる。【選択図】図４
0003211953.tif 000002
【実用新案登録請求の範囲】
【請求項１】
支持体と、粘着層が順に積層され、この粘着テープの中央部の粘着層が強粘着、両端部の粘着層が弱粘着である回路固定用粘着テープ。
【請求項２】
粘着層に剥離シートを積層した請求項１に記載の回路固定用粘着テープ。
【考案の詳細な説明】
【技術分野】
【０００１】
本発明は透析回路固定用の粘着テープに関するものである。
【背景技術】
【０００２】
透析の回路を粘着テープで固定する際、Ω固定がよく用いられている（図１）。このΩ固定ではテープの真ん中部分が回路に触れ、テープの両端が皮膚に触れる貼付状態となる。ここで回路をしっかりと固定するためには粘着力の強いテープを用いる必要があるが、粘着力が強いと皮膚刺激を引き起こすことが懸念されている。逆に皮膚刺激を起こさぬよう粘着力の弱いテープを用いれば皮膚のダメージは少なくなるが回路の固定が不十分になることが懸念される。
【考案の概要】
【考案が解決しようとする課題】
【０００３】
本考案は上記実情にかんがみ、透析の回路をしっかり固定できると同時に皮膚刺激の少ない透析回路固定用の粘着テープを提供することを目的としている。
【課題を解決するための手段】
【０００４】
上記目標を達成するために、本考案によって提供される透析回路固定用の粘着テープは支持体（１）と、粘着層が順に積層され、この粘着テープの中央部の粘着層が強粘着（３）、両端部の粘着層が弱粘着（２）であることを特徴としている。ここで強粘着とはＪＩＳ  Ｚ０２３７−２００９に準拠して測定した対ＢＡ  ＳＵＳ板１８０度引き剥がし粘着力の範囲が５．０Ｎ／２５ｍｍ以上〜２０．０Ｎ／２５ｍｍ以下、好ましくは５．０Ｎ／２５ｍｍ以上〜１０．０Ｎ／２５ｍｍ以下、より好ましくは６．０Ｎ／２５ｍｍ以上〜１０．０Ｎ／２５ｍｍ以下であることを言う。また弱粘着とはＪＩＳ  Ｚ０２３７−２００９に準拠して測定した対ＢＡ  ＳＵＳ板１８０度引き剥がし粘着力の範囲が０．２Ｎ／２５ｍｍ以上〜５．０Ｎ／２５ｍｍ未満、好ましくは１．０Ｎ／２５ｍｍ以上〜５．０Ｎ／２５ｍｍ未満であることを言う。このような構成にすることにより、回路をしっかり固定できると同時に、皮膚刺激の少ない粘着テープを提供できる。
【０００５】
テープの中央部の粘着層と両端部の粘着層には公知の粘着剤を用いることができる。粘着剤は特に限定されないがゴム系粘着剤、アクリル系粘着剤、シリコーン系粘着剤、ウレタン系粘着剤などを用いることができる。
【０００６】
中央部の粘着剤と両端部の粘着剤は違う種類の粘着剤を用いてもよいし、例えば同じ粘着剤でも中央部の粘着層の厚さを厚くすることによって強粘着としてもよい。
【０００７】
また強粘着の粘着層を支持体の全面に積層し、両端部に弱粘着の粘着層をさらに積層し、中央部に強粘着の粘着層を露出させてもよい。
【０００８】
また、弱粘着の粘着層を支持体の全面に積層し、さらに中央部に強粘着の粘着層を積層してもよい。
【０００９】
本考案の粘着テープの支持体には公知のものを用いることができる。支持体としては特に限定されないが、たとえば不織布、編布、織布、紙、プラスチックフィルム、又はこれらの積層体を用いてもよい。
【００１０】
本考案の粘着テープの粘着層に剥離シートを積層しても良い。剥離シートには公知のものを用いることができ特に限定はされないが、例えばシリコーン系剥離剤、長鎖アルキル系離剤、又はフッ素系剥離剤等で、プラスチックフィルム、紙、ポリラミ紙、グラシン紙を処理して剥離性を持たせたものを用いてもよい。
【考案の効果】
【００１１】
本考案によれば、透析の回路をしっかり固定できると同時に皮膚刺激の少ない透析回路固定用の粘着テープを提供することができる。
【図面の簡単な説明】
【００１２】
【図１】Ω固定の模式図である。
【図２】Ω固定をしたテープの粘着財層が、主として回路に触れる部分と、主として皮膚に触れる部分を示す模式図である。
【図３】本発明の実施形態に係る透析回路固定用粘着テープを粘着層側から見た模式図である。
【図４】本発明の実施形態に係る透析回路固定用粘着テープの一例を側面から見た模式図である。
【図５】本発明の実施形態に係る透析回路固定用粘着テープの別の例を側面から見た模式図である。
【図６】本発明の実施形態に係る透析回路固定用粘着テープのさらに別の例を側面から見た模式図である。
【考案を実施するための形態】
【００１３】
以下、考案の実施形態について説明する。
【実施例】
【００１４】
（実施例１）
図３は、本発明の実施形態に係る透析回路固定用粘着テープを粘着層側から見た平面図である。
図４は、本発明の実施形態に係る透析回路固定用粘着テープの一例を側面から見た模式図である。
【００１５】
（実施例2）
図５は、本発明の実施形態に係る透析回路固定用粘着テープの別の例を側面から見た模式図である。
【００１６】
（実施例３）
図６は、本発明の実施形態に係る透析回路固定用粘着テープのさらに別の例を側面から見た模式図である。
【産業上の利用可能性】
【００１７】
本発明の貼付シートは、透析回路固定用粘着テープとして産業上利用することができる。
【符号の説明】
【００１８】
１支持体
２弱粘着の粘着層
３強粘着の粘着層
【図１】
0003211953.tif 000003
【図２】
0003211953.tif 000004
【図３】
0003211953.tif 000005
【図４】
0003211953.tif 000006
【図５】
0003211953.tif 000007
【図６】
0003211953.tif 000008
(57)【要約】      （修正有）【課題】光源の１つずつに反射板を設けることで、特定方向への照射効率を高めたＬＥＤライトを提供する。【解決手段】ＬＥＤライトの光源であるＬＥＤチップ１のそれぞれの照射方向以外のすべての面に、ＬＥＤチップから放出された光を照射方向に反射するように反射板２を設けることで、ＬＥＤチップから放出された光を照射方向に集め、照射したい特定方向への照射効率を高める。【選択図】図１
0003211338.tif 000002
【実用新案登録請求の範囲】
【請求項１】
ＬＥＤライトにおいて、光源として設けられた複数のＬＥＤチップに対して、各ＬＥＤチップそれぞれ１つずつの周囲の面のうち、照射方向以外のすべての面に、ＬＥＤチップ１個ずつを囲うような形で光源から放出された光が照射方向に反射するように反射板を設けることにより、照射したい方向への照射を効率よく行うことを特徴とするＬＥＤライト。
【考案の詳細な説明】
【技術分野】
【０００１】
本考案は、効率よく光を特定方向へ照射するための反射板を備えたＬＥＤライトに関するものである。
【考案の概要】
【考案が解決しようとする課題】
【０００２】
ＬＥＤライトにおいて、反射板の形状を工夫することで、本来光を照射させたい方向以外に向かう光を、できるだけ本来照射したい方向に集めることにより、より効率よく特定の方向に光を照射させようとするものである。
【課題を解決するための手段】
【０００３】
本考案は、ＬＥＤライトの光源として備える複数のＬＥＤチップに対して、各ＬＥＤチップの周囲の面のうち、照射したい方向以外のすべての面に各ＬＥＤチップそれぞれ１つずつを囲むように、光源から放出された光を照射方向に反射するように反射板を設けることで、本来照射したい方向以外に向かう光を本来照射したい方向に反射することにより、効率よく本来照射したい方向に光を集めるようにする。
【考案の効果】
【０００４】
上述の様に、光源である各ＬＥＤチップ１つずつにそれぞれ反射板を設けることで、本来照射したい方向以外に逃げる光を、本来照射したい方向に集めることができ、効率よく光源から放出された光を本来照射したい方向に照射することに役立つ。
【図面の簡単な説明】
【０００５】
【図１】本ＬＥＤライトの正面図である。
【図２】本ＬＥＤライトの立体図である。
【符号の説明】
【０００６】
１  ＬＥＤチップ
２  反射板
【図１】
0003211338.tif 000003
【図２】
0003211338.tif 000004
(57)【要約】      （修正有）【課題】既存のデニム生地と同等の外観を有するニット製衣服を提供する。【解決手段】インディゴ染めによる綿単糸からなるニット生地に、レーザー加工による色落ち部を設けたニット製衣服Ａである。このニット生地をダブルジャガード柄とするとレーザー加工を施す際の生地の傷みをより軽減することができる点で好ましい。【選択図】図１
0003211333.tif 000002
【実用新案登録請求の範囲】
【請求項１】
インディゴ染めによる綿単糸からなるニット生地に、レーザー加工による色落ち部を設けてあることを特徴とする、
ニット製衣服。
【請求項２】
前記ニット生地が、ダブルジャガード柄であることを特徴とする、請求項１に記載のニット製衣服。
【請求項３】
前記衣服が、ジーンズであることを特徴とする、請求項１または２に記載のニット製衣服。
【考案の詳細な説明】
【技術分野】
【０００１】
本考案は、インディゴ染めによる綿単糸からなるニット生地を用いた衣服に関する。
【背景技術】
【０００２】
ニット製衣服に、着古したインディゴデニムの外観を持たせたものとして、以下の特許文献１に記載のニット製衣服が知られている。
このニット製衣服は、ニット生地に石加工を施すことにより、着古して色落ちした模様を設け、さらにヒゲ加工やブラスト加工を施すことで更にビンテージ調の風合いを持たせる点が開示されている。
【先行技術文献】
【特許文献】
【０００３】
【特許文献１】実用新案登録第３１５１３４２号公報
【考案の概要】
【考案が解決しようとする課題】
【０００４】
特許文献１でも指摘するように、ニット生地は、既存のデニム生地によりも脆いため、グラインダーやブラストを用いて生地の摩擦によるダメージ加工を適用することができないという問題があり、生地の摩擦に寄らない方法でグラインダーやブラストによるダメージ加工と同等の風合いを得ることができない。
そのため、特許文献１では、ニット生地の網目方向と石加工の擦り方向に制限を加えることで、石加工による色落ち模様の形成を実現していた。
しかし、上記方法であっても、色落ち模様の再現性には限界があり、既存のデニム生地と同等の外観を有するに至るレベルのニット製衣服は存在していなかった。
【０００５】
よって、本考案は、既存のデニム生地と同等の外観を有することが可能なニット製衣服を提供することを目的とするものである。
【課題を解決するための手段】
【０００６】
上記課題を解決するためになされた本考案は、インディゴ染めによる綿単糸からなるニット生地に、レーザー加工による色落ち部を設けてあることを特徴とする、ニット製衣服を提供するものである。
また、前記ニット生地をダブルジャガード柄とすることができる。
また、前記衣服をジーンズとすることができる。
【考案の効果】
【０００７】
本考案によれば、以下に記載する効果のうち、少なくとも何れか１つの効果を奏する。
（１）レーザー加工による色落ち部が、既存のデニム生地が備えるビンテージ風の外観と同等の外観の実現に寄与する。
（２）ニット生地をダブルジャガード柄とすると、色落ち部の形成に用いるレーザー加工への耐久性をより強く持たせることができる。
【図面の簡単な説明】
【０００８】
【図１】本考案に係るニット製衣服の正面図。
【図２】本考案に係るニット製衣服の背面図。
【考案を実施するための形態】
【０００９】
以下、図面を参照しながら、本考案に係るニット製衣服の詳細について説明する。
【実施例】
【００１０】
＜１＞全体構成
図１，２に、本考案に係るニット製衣服の一例を示す。
図１では、本考案に係るニット製衣服Ａをジーンズ（パンツ）とし、ジーンズの太もも上部分に、一般的にヒゲＢ１と称される色落ち部Ｂを設け、太ももの上からひざ下付近には、一般的に縦落ちＢ２と称される色落ち部Ｂを設けている。
図２では、ジーンズの太もも部分の裏側に、一般的にハチノスＢ３と称される色落ち部Ｂを設けている。
【００１１】
＜２＞糸
ニット生地を構成する編み糸は、インディゴ染めによる綿単糸である。
インディゴ染めには公知の方法から適した方法を採用することができるが、特にロープ染色による方法を用いると、後述するレーザー加工の際により好ましい外観の色落ち部を形成できる点で好ましい。
【００１２】
＜３＞編み柄
ニット生地を構成する編み柄は、ダブルジャガード柄とすることが好ましい。これは解けずらく伸びにくくするとともに、生地の強度をより高めることで、後述するレーザー加工を施す際の生地の傷みを軽減したり、洗濯機による丸洗いを実現するためである。
【００１３】
＜４＞予備作業
ニット生地によって衣服を形成したあとは、必要に応じて洗浄作業を行い、衣服全体の色を落とす作業を行うこともできる。
【００１４】
＜５＞レーザー加工
ニット生地によって形成した衣服の表面にレーザー光線を照射し、ニット生地の表面を熱分解することによって設けた脱色箇所を色落ち部Ｂとする。
このレーザー光線の照射による色落ち部Ｂと、その余の箇所との間では、表情にメリハリが出て、通常のデニム生地によるジーンズと差の無い外観を呈することができる。
【００１５】
このレーザー加工は、公知の方法から適した方法を採用することができるが、特に平置きのレーザー装置を使用する方法を用いると、表情を出す面で好適である。
その他、ヒゲＢ１やハチノスＢ３などのように、ニット生地の表面に線状の色落ち部Ｂを設ける場合には、レーザーを表現したいヒゲやハチノスをデータ化したレーザー用データを作成し、当該データに合わせて照射してもよい。
また、縦落ち部Ｂ２などのように、ニット生地の表面に面状の色落ち部Ｂを設ける場合には、同じように、表現したい縦落ち部分をデータ化したレーザー用データを作成すればよい。
【００１６】
＜６＞その他
本考案に係るニット製衣服Ａでは、前記したレーザー加工による色落ち部Ｂだけでなく、その他の公知のダメージ加工を追加してもよい。
また、本考案に係るニット製衣服Ａは、前記したジーンズに限らず、スカート、ジャケット、ベストなどに適用してもよい。
【符号の説明】
【００１７】
Ａ    ニット製衣服
Ｂ    色落ち部
Ｂ１  ヒゲ
Ｂ２  縦落ち
Ｂ３  ハチノス
【図１】
0003211333.tif 000003
【図２】
0003211333.tif 000004
(57)【要約】【課題】  屋外で調理などの目的に使用するアウトドア用のガス缶に装着することにより、木製テーブル等に直接置いた際に発生する前記ガス缶の下端に応じた輪ジミの発生を防止すると共に、前記ガス缶の装飾性を向上させるカバーを提供する。【解決手段】  本考案のガス缶用カバーは、ガス缶の上方を覆う上蓋部１と、前記ガス缶の中央を覆う側面部２と、前記ガス缶の下方を支持する底部６とで構成されており、上蓋部１には前記ガス缶からの炎を上部へ放出する口金開口部５を有し、側面部２と底部６とが一体化した構造でその内部へ前記ガス缶を上方から装着できる形状とし、上蓋部１の下端を側面部２の上端から側面部２の内側へ差し込み前記ガス缶との間で挟むことにより固定される構成である。【選択図】図１
0003211311.tif 000002
【実用新案登録請求の範囲】
【請求項１】
ガス缶の上方を覆う前記ガス缶の上部形状に合わせた曲面状の上蓋部と、前記ガス缶の中央を覆う前記ガス缶の側面に合わせた筒状の側周部と、前記ガス缶の下方を支持する底部とを有し、前記側周部と前記底部とは一体化した構造でその内部へ前記ガス缶を上方から収納できる形状とし、前記上蓋部は前記ガス缶の上部に位置する口金部分が突出する開口部を有すると共に前記上蓋部の下端を前記側周部の上端から前記側周部の内側へ差し込み前記ガス缶の側面との間で挟むことにより固定される形状とし、前記上蓋部と前記側周部と前記底部とは革製であることを特徴とするガス缶用カバー。
【考案の詳細な説明】
【技術分野】
【０００１】  本考案は、屋外で照明、暖房、調理等の目的に使用できるアウトドア用のガス缶に装着することができるガス缶用カバーに関する。
【背景技術】
【０００２】  屋外で調理器具と共に携帯して使用アウトドア用のガス缶が知られている（例えば、特許文献１参照）。【０００３】  また、斯かるガス缶に装着するカバーが知られている（例えば、非特許文献１、２参照）。
【先行技術文献】
【特許文献】
【０００４】
【特許文献１】特開２００３−１８５４８９号公報
【非特許文献】
【０００５】
【非特許文献１】「ガス缶ＯＤ缶レザーカバー」（ｈｔｔｐｓ：／／ｔｈｅｂａｓｅ．ｉｎ／ｍａｇ／ｗｈａｔｗｉｌｌｂｅ２−ｈａｎｄｃｒａｆｔｅｄ−ｊｐ／２０１５／１２／１７／１４２１５３）
【非特許文献２】「レザーＣＢガス缶カバー」（ｈｔｔｐｓ：／／ｍｉｎｎｅ．ｃｏｍ／ｉｔｅｍｓ／２１０４７２１）
【考案の概要】
【考案が解決しようとする課題】
【０００６】  前記ガス缶カバーのいずれも、ガス缶の上方と側面を覆う形状であって、前記ガス缶を木製テーブル等親水性部材に直接置いた際には、前記ガス缶と周囲外気との温度差や雨等の湿気によって、前記ガス缶の下端に接している前記部材の表面に輪ジミが発生する場合がある。【０００７】  本考案は、このような従来の問題を解決するものであり、前記輪ジミの発生を防止すると共に、前記ガス缶の装飾性を向上させるカバーを提供することを目的とするものである。
【課題を解決するための手段】
【０００８】  本考案に係るガス缶用カバーは、ガス缶の上方を覆う前記ガス缶の上部形状に合わせた曲面状の上蓋部と、前記ガス缶の中央を覆う前記ガス缶の側面に合わせた筒状の側周部と、前記ガス缶の下方を支持する底部とを有し、前記側周部と前記底部とは一体化した構造でその内部へ前記ガス缶を上方から収納できる形状とし、前記上蓋部は前記ガス缶の上部に位置する口金部分が突出する開口部を有すると共に前記上蓋部の下端を前記側周部の上端から前記側周部の内側へ差し込み前記ガス缶の側面との間で挟むことにより固定される形状とし、前記上蓋部と前記側周部と前記底部とは革製であることを特徴とする。
【考案の効果】
【０００９】  本考案によれば、ガス缶の下方を支持する底部により、前記ガス缶を木製テーブル等親水性部材に置いたとしても、前記ガス缶と前記部材との間に前記底部が位置することから、前記部材の表面に輪ジミの発生を抑えることができる。
【図面の簡単な説明】
【００１０】
【図１】  本考案の一実施例の全体を縦方向で切断した断面図である。
【図２】  同実施例の全体の側面図である。
【図３】  同実施例の全体を下方から見た平面図である。
【考案を実施するための形態】
【００１１】  本考案に係るガス缶用カバーは、ガス缶の上方を覆う前記ガス缶の上部形状に合わせた曲面状の上蓋部と、前記ガス缶の中央を覆う前記ガス缶の側面に合わせた筒状の側周部と、前記ガス缶の下方を支持する底部とを有し、前記側周部と前記底部とは一体化した構造でその内部へ前記ガス缶を上方から収納できる形状とし、前記上蓋部は前記ガス缶の上部に位置する口金部分が突出する開口部を有すると共に前記上蓋部の下端を前記側周部の上端から前記側周部の内側へ差し込み前記ガス缶の側面との間で挟むことにより固定される形状とし、前記上蓋部と前記側周部と前記底部とは革製である。
【実施例】
【００１２】  以下、添付図面に従って一実施例を説明すると、図示しないガス缶に装着するカバーは、前記ガス缶の上方を覆う前記ガス缶の上部形状に合わせた略半円の曲面状の上蓋部１と、前記ガス缶の中央を覆う前記ガス缶の側面に合わせた円筒状の側周部２と、前記ガス缶の下方を支持する略十字状の底部６とを有している。【００１３】  側周部２の上端には、後述する上蓋部１の固定用として、補強用の側面上部編み込み３が形成されている。【００１４】  側周部２と底部６とは、個別に形成されており、側面下部編み込み４により一体化した構造としており、その内部へ前記ガス缶を上方から収納できる形状である。【００１５】  上蓋部１は前記ガス缶の上部に位置する口金部分が突出する円形状の開口部５を有すると共に上蓋部１の下端を側周部２の上端から側周部２の内側へ差し込み前記ガス缶の側面との間で挟むことにより固定される形状である。【００１６】  上蓋部１と側周部２と底部６の素材は、天然の牛革製であり、側面上部編み込み３および側面下部編み込み４は、前記素材と同じ素材を細い紐状としたもので形成している。【００１７】  斯かるガス缶用カバーによれば、ガス缶の底が直接木製テーブル等親水性部材に触れる事がないため輪ジミの発生を抑えることができ、前記ガス缶を装着した後は金具等の専用固定部材を用いずに上蓋部１と側周部２とが差し込み式で固定できるため固定時の煩わしさや怪我の心配もなく、更に革の持つ高級感から装飾品としての風姿も有するものである。【００１８】  なお、本考案は、前記実施例に限定されるものではなく、形状や革素材は任意に選定できることは言うまでもない。【００１９】  例えば、上蓋部１と側周部２と底部６とで夫々色や柄を変えた予備を用意することにより、好みや気分に合わせて着せ替えを楽しむ事もできる。
【符号の説明】
【００２０】  １  上蓋部
２  側周部
３  側面上部編み込み
４  側面下部編み込み
５  開口部
６  底部
【図１】
0003211311.tif 000003
【図２】
0003211311.tif 000004
【図３】
0003211311.tif 000005
(57)【要約】【課題】    本考案は、複雑な構造にすることなく、小型軽量化を図りつつ、直流電源の正負極を反転させる装置を提供するものである。【解決手段】直流電源装置から負荷への配電回路において、中間部分の適宜位置に、時計に用いられている水晶振動子による水晶発振式ムーブメント１を配設し、該水晶発振式ムーブメント１により回転する円盤２を設け、該円盤２の下面に金属箔４ａ・４ｂを配設し、該円盤２の下方に金属端子３ａ・３ｂ・３ｃ・３ｄを該金属箔４ａ・４ｂと接触するようにしつつ、電源からの入力側に該金属端子３ａ・３ｃを配設し、負荷への出力側に該金属端子３ｂ・３ｄを配設し、該円盤の回転により該金属箔４ａ・４ｂと該金属端子３ａ・３ｂ・３ｃ・３ｄとの接触の組み合わせを変化させ、負荷側の正極と負極を反転させるように構成した。【選択図】図２
0003211314.tif 000002
【実用新案登録請求の範囲】
【請求項１】
直流電源装置から負荷への配電回路において、中間部分の適宜位置に、時計に用いられている水晶振動子による水晶発振式ムーブメントを配設し、該水晶発振式ムーブメントにより回転する円盤を設け、該円盤の下面に金属箔を２分割して配設し、該円盤の下方に４個の金属端子を該金属箔と接触するように適宜位置に配設し、該金属端子は電源側からの入力端子２個と負荷側への出力端子２個とに各々分け、該円盤の回転により該金属箔と該金属端子との接触の組み合わせを変化させ、負荷側の正極と負極を反転させるように構成した装置。
【考案の詳細な説明】
【技術分野】
【０００１】  本考案は、直流電源の正負極を反転させる装置に関するものである。
【背景技術】
【０００２】  従来からの直流電源の正負極の反転装置は、リレー等で構成され、複雑な仕組みになっていた。
【考案の概要】
【考案が解決しようとする課題】
【０００３】  本考案は、複雑な構造にすることなく、小型軽量化を図りつつ、直流電源の正負極を反転させる装置を提供する事を目的としている。
【課題を解決するための手段】
【０００４】  本考案は、直流電源装置から負荷への配電回路において、中間部分の適宜位置に、時計に用いられている水晶振動子による水晶発振式ムーブメントを配設し、該水晶発振式ムーブメントにより回転する円盤を設け、該円盤の下面に金属箔を２分割して配設し、該円盤の下方に４個の金属端子を該金属箔と接触するように適宜位置に配設し、該金属端子は電源側からの入力端子２個と負荷側への出力端子２個とに各々分け、該円盤の回転により該金属箔と該金属端子との接触の組み合わせを変化させ、負荷側の正極と負極を反転させるように構成したものである。
【考案の効果】
【０００５】  本考案は、以上のように構成したので、複雑な構成を用いることなく、簡単かつ小型軽量化を図りつつ、直流電源の正負極を反転させることができる装置として、実用性に優れたものである。
【図面の簡単な説明】
【０００６】
【図１】本考案に係る装置の製造における工程図である。
【図２】本考案に係る装置の斜視図である。
【図３】本考案に係る装置の側面図である。
【図４】本考案に係る装置の上面図である。
【図５】本考案に係る装置の上面図である。
【図６】本考案に係る装置の上面図である。
【図７】本考案に係る装置の上面図である。
【図８】本考案に係る装置の上面図である。
【図９】本考案に係る装置の上面図である。
【考案を実施するための形態】
【０００７】  図１に示すように、台座５の中央に、時計に用いられている水晶振動子による水晶発振式ムーブメント１を配設し、該水晶発振式ムーブメント１を中心として十字方向に等間隔で、金属端子３ａ・３ｂ・３ｃ・３ｄを配設する。該金属端子３ａは直流電源の正極からの入力端子とし、該金属端子３ｃは直流電源の負極からの入力端子とする。該金属端子３ｂ・３ｄは各々出力端子とする。次に、該水晶発振式ムーブメント１により回転するように、円盤２を配設し、該円盤２の下面に金属箔４ａ・４ｂを、分けて配設し、図２に示すとおりになる。
【０００８】  図３に示すように、該金属箔４ａ・４ｂと該金属端子３ａ・３ｂ・３ｃ・３ｄが接触するように、該水晶発振式ムーブメント１に該円盤２を配設する。ただし、該金属箔４ａ・４ｂ間の隙間では、該金属端子３ａ・３ｂ・３ｃ・３ｄと非接触になるように配設する。
【０００９】  次に作用について説明する。図４・図５・図６・図７・図８・図９の順番で示すように、該円盤２は該水晶発振式ムーブメント１により右廻りで３６０度の連続回転をする。該円盤２が図４から図５の位置まで回転している間、直流電源の正極は該金属端子３ａに入力し、該金属箔４ａを通して該金属端子３ｂから出力する。直流電源の負極は該金属端子３ｃに入力し、該金属箔４ｂを通して該金属端子３ｄから出力する。
【００１０】  続いて該円盤２が図６の位置の時、該金属端子３ａ・３ｃと該金属箔４ａ・４ｂとは非接触となる。
【００１１】  続いて該円盤２が図７から図８の位置まで回転している間、直流電源の正極は該金属端子３ａに入力し、該金属箔４ｂを通して該金属端子３ｄから出力する。直流電源の負極は該金属端子３ｃに入力し、該金属箔４ａを通して該金属端子３ｂから出力する。
【００１２】  続いて該円盤２が図９の位置の時、該金属端子３ｂ・３ｄと該金属箔４ａ・４ｂとは非接触となる。
【００１３】  以上のように構成した本考案は、該円盤２の回転により該金属箔４ａ・４ｂと該金属端子３ａ・３ｂ・３ｃ・３ｄとの接触の組み合わせを変化させ、直流電源の正負極を反転させることができる。
【符号の説明】
【００１４】１    水晶発振式ムーブメント
２    円盤
３ａ  金属端子
３ｂ  金属端子
３ｃ  金属端子
３ｄ  金属端子
４ａ  金属箔
４ｂ  金属箔
５    台座
【図１】
0003211314.tif 000003
【図２】
0003211314.tif 000004
【図３】
0003211314.tif 000005
【図４】
0003211314.tif 000006
【図５】
0003211314.tif 000007
【図６】
0003211314.tif 000008
【図７】
0003211314.tif 000009
【図８】
0003211314.tif 000010
【図９】
0003211314.tif 000011
(57)【要約】      （修正有）【課題】剛性を損なうことなく、楽器としての音響や形状全体を崩さず、簡単に乾燥剤の交換が出来る交換機能を持ちコンパクト化された、湿気、カビ、臭気、破損防止、音の安定化ができる本張り三線の胴を提供する。【解決手段】従来ある三線の胴を本来楽器の持つ音や形状に影響がないよう工夫し、三線の胴１の左右に凹状の穴（乾燥剤収納部４）をあけ、凹状の穴の上部内側面に平鉄板６と蓋７、凹の穴の底部分の通気口５に無数の穴を持つ多孔質構造にした。乾燥剤が簡単に交換できる乾燥剤収納部４に形成したことにより湿気、カビ、臭気、破損防止、音の安定化に効果がある。【選択図】図１
0003211313.tif 000002
【実用新案登録請求の範囲】
【請求項１】
本皮を張った三線の胴に乾燥剤収納部を設けることにより湿気、カビ、臭気、破損防止、音の安定化の為に形成されたことを特徴とする除湿一体型本張り三線の胴。
【考案の詳細な説明】
【技術分野】
【０００１】本考案は三線の胴に湿気、カビ、臭気、破損防止の為に乾燥剤収納部を設けた除湿一体型本張り三線の胴に関するものである。
【背景技術】
【０００２】従来の三線の胴は両面にニシキヘビを張った本皮張りの胴が主流であり、三線の胴の部分を紙袋に入れる方法と新聞紙で包んでの湿気防止であった。
【考案の概要】
【考案が解決しようとする課題】
【０００３】  亜熱帯気候の沖縄は高温多湿で特に梅雨時に湿気が強く、三線の胴に張った本皮が湿気を含み皮が緩んだり、弱くなり音がボンボンしたり、本皮が破れたりする。特に梅雨明けにかけて三線の本皮張りの胴にダメージを与える。その欠点を解決するため三線の胴に湿気防止できるようにしたものである。
【考案の属する分野】
【０００４】一年の中で特に梅雨時期から梅雨明けにかけて気候の変化によって本皮の緩み、破れ、音の変化に支障をきたしていた。
本考案は三線の胴の左右に凹状に乾燥剤を収納できるように収納部を形成し乾燥剤を入れ、湿気、カビ、臭気、破損防止が出来る除湿一体型本張り三線の胴である。
【課題を解決するための手段】
【０００５】本考案は従来ある三線の胴を本来楽器の持つ音や形状に影響がないよう工夫し、三線の胴の左右に凹状に穴をあけ凹状の上部内側側面に平鉄板と蓋、凹の底部分に通気口を設け、無数の穴を持つ多孔質構造にした。
乾燥剤が簡単に交換できる乾燥剤収納部に形成したことを特徴とする。乾燥剤収納部構造ができたことにより湿気、カビ、臭気、破損防止、音の安定化を解決している。
【考案の効果】
【０００６】本考案の三線の胴は剛性を損なうことなく、かつ楽器としての音響や全体の形状を崩さず簡単に乾燥剤を交換できるようにコンパクト化された除湿一体型本張りを提供することができる。
【考案を実施するための形態】
【０００７】図１〜図２は本考案の実施形態に係る三線の胴を除湿一体型本張り三線の胴を凹状に形成したものを示した斜視図である。図２は従来の三線の胴である。
本考案は、沖縄の楽器である三線に限らず日本の楽器である三味線も同様に含まれる。
【図面の簡単な説明】
【図１】本考案の実施形態に係る除湿一体型本張り三線の胴の斜視図である。
【図２】図１と従来の三線胴と比較した斜視図である。
【符号の説明】１      三線の胴
２      上部心穴
３      下部心穴
４      乾燥剤収納部
５      通気口
６      平鉄板
７      蓋
８      磁石
【図１】
0003211313.tif 000003
【図２】
0003211313.tif 000004
(57)【要約】      （修正有）【課題】使い勝手を向上させることができるカッターナイフを提供する。【解決手段】ホルダー４０の外側を覆うようにして、ホルダー４０に装着されたグリップ７０と、グリップ７０のうち、切断対象物９０を切断する際に上側に位置する部分であって、かつ刃２０の刃先側に位置する部分に、突出するようにして形成された突起部８０とを備える。【選択図】図１
0003211374.tif 000002
【実用新案登録請求の範囲】
【請求項１】
切断対象物を切断するための刃と、
前記刃に固着され、前記刃の出し入れを行うためのスライダーと、
前記刃を収納するためのホルダーと、
前記ホルダーの長手方向に沿って形成され、前記スライダーの移動を案内するための案内溝と、
前記ホルダーの外側を覆うようにして、前記ホルダーに装着されたグリップと、
前記グリップのうち、前記切断対象物を切断する際に上側に位置する部分であって、かつ前記刃の刃先側に位置する部分に、突出するようにして形成された突起部と
を備えることを特徴とするカッターナイフ。
【考案の詳細な説明】
【技術分野】
【０００１】
本考案は、カッターナイフに関する。
【背景技術】
【０００２】
従来、使い勝手を向上させることを目的として、種々のカッターナイフが開発及び提案されている。
【考案の概要】
【考案が解決しようとする課題】
【０００３】
本考案は、使い勝手を向上させることができるカッターナイフを提供することを目的とする。
【課題を解決するための手段】
【０００４】
本考案の一態様によるカッターナイフは、
切断対象物を切断するための刃と、
前記刃に固着され、前記刃の出し入れを行うためのスライダーと、
前記刃を収納するためのホルダーと、
前記ホルダーの長手方向に沿って形成され、前記スライダーの移動を案内するための案内溝と、
前記ホルダーの外側を覆うようにして、前記ホルダーに装着されたグリップと、
前記グリップのうち、前記切断対象物を切断する際に上側に位置する部分であって、かつ前記刃の刃先側に位置する部分に、突出するようにして形成された突起部と
を備える。
【考案の効果】
【０００５】
本考案のカッターナイフによれば、使い勝手を向上させることができる。
【図面の簡単な説明】
【０００６】
【図１】本考案の実施の形態によるカッターナイフの構成を示す正面図及び背面図である。
【考案を実施するための形態】
【０００７】
以下、本考案の実施の形態について図面を参照して説明する。
【０００８】
図１に、本考案の実施の形態によるカッターナイフ１０の構成を示す。このうち、図１（ａ）は、カッターナイフ１０を正面側から視認した場合の正面図を示し、図１（ｂ）は、カッターナイフ１０を背面側から視認した場合の背面図を示し、図１（ｃ）は、カッターナイフ１０を用いて切断対象物を切断する場合の様子を示す。
【０００９】
カッターナイフ１０は、例えば紙などの切断対象物を切断するための刃２０を有し、刃２０には、刃２０の出し入れを行うためのスライダー３０が固着されている。
【００１０】
また、カッターナイフ１０は、刃２０を収納するためのホルダー４０を有し、このホルダー４０には、スライダー３０の移動を案内するための案内溝５０が長手方向に沿って形成されている。
【００１１】
なお、ホルダー４０の後端には、案内溝５０を塞ぐためのキャップ６０が取り付けられている。
【００１２】
すなわち、カッターナイフ１０の未使用時には、刃２０をホルダー４０内に収納しておき、カッターナイフ１０の使用時には、スライダー３０を案内溝５０に沿って摺動させることにより、ホルダー４０の先端から、刃２０の刃先を突き出させる。
【００１３】
本実施の形態の場合、ホルダー４０の外側には、当該ホルダー４０を覆うようにして、グリップ７０が装着されている。なお、このグリップ７０は、素材として、木材を使用しているが、例えば樹脂や金属など、他の種々の材料を用いて形成しても良い。
【００１４】
このグリップ７０のうち、切断対象物を切断する場合に上側に位置する部分であって、かつ刃２０の刃先側に位置する部分には、突起部８０が一体成形されている。
【００１５】
この突起部８０のうち、カッターナイフ１０の長手方向に対する先端部分の傾斜角度は、刃２０の刃先の傾斜角度と同一の角度を有するように形成されている。すなわち、突起部８０の先端部分の傾斜方向は、刃２０の刃先の傾斜方向と平行になるように形成されている。なお、上述の先端部分の傾斜角度が、刃２０の刃先の傾斜角度とは異なるように、突起部８０を形成しても良い。
【００１６】
図１（ｃ）に示すように、このカッターナイフ１０を用いて、例えば紙などの切断対象物９０を切断する場合には、グリップ７０の突起部８０に人差し指を添えれば、グリップ７０の突起部８０によって人差し指の逆曲がりを防止することができ、従って人差し指の負担を軽減して使い勝手を向上させることができる。
【００１７】
具体的には、突起部８０のうち、カッターナイフ１０の長手方向に対する先端部分の傾斜角度が、刃２０の刃先と同じ角度になっていることで、無駄なく力を伝えることができるという効果に加えて、突起部８０に指をかけて使用することにより、人差し指第一関節に負荷をかけづらいという効果を有する。
【００１８】
このように、本実施の形態の場合、カッターナイフ１０は、切断対象物９０を切断するための刃２０と、刃２０に固着され、刃２０の出し入れを行うためのスライダー３０と、刃２０を収納するためのホルダー４０と、ホルダー４０の長手方向に沿って形成され、スライダー３０の移動を案内するための案内溝５０と、ホルダー４０の外側を覆うようにして、ホルダー４０に装着されたグリップ７０と、グリップ７０のうち、切断対象物９０を切断する際に上側に位置する部分であって、かつ刃２０の刃先側に位置する部分に、突出するようにして形成された突起部８０とを備える。
【００１９】
また、本実施の形態の場合、突起部８０のうち、ホルダー４０の長手方向に対する、先端部分の傾斜角度は、刃２０の刃先の傾斜角度と同一の角度を有するように形成されることにより、突起部８０の先端部分の傾斜方向は、刃２０の刃先の傾斜方向と平行になるように形成されている。
【符号の説明】
【００２０】
１０  カッターナイフ
２０  刃
３０  スライダー
４０  ホルダー
５０  案内溝
６０  キャップ
７０  グリップ
８０  突起部
【図１】
0003211374.tif 000003
(57)【要約】      （修正有）【課題】オーブンの底部材を削ることなく、オーブンに商品の出し入れを行うことができるフランスパンスコップを提供する。【解決手段】フランスパンスコップの先端にローラー部材を取り付けることで、オーブンの底部材を削ることなく、スムーズにオーブンに商品の出し入れすることができる。これにより、オーブンの寿命も長持ちする。又、フランスパンスコップ自体の寿命も従来品に比べて長持ちする。【選択図】図２
0003211379.tif 000002
【実用新案登録請求の範囲】
【請求項１】
先端にローラー部材を使用することで、オーブンの底材を削ることなく、
スムーズに出し入れすることができるフランスパンスコップ。
【考案の詳細な説明】
【技術分野】
【０００１】
この考案はフランスパンスコップに関する。
【背景技術】
【０００２】
フランスパンスコップは、パン屋やパン工場等で、オーブンの中でパンを焼成する際に、
商品をスコップの上に載せてオーブンの中に入れたり、焼きあがったパンを
オーブンから取り出す際に使用されている。
【０００３】
ところで、従来のフランスパンスコップは先端が金属の板状の形状である、
【考案の概要】
【考案が解決しようとする課題】
【０００４】
上述したような構造な為、オーブンの中のものを取り出す際に、オーブンの底部分に
接触し、フランスパンスコップの先端が変形してしまう。
【０００５】
また、オーブンの底部分も削り取ってしまうという問題も生じる。
【課題を解決するための手段】
【０００６】
請求項１に記載の考案は、フランスパンスコップの先端にローラーを取り付けた構造である。
【０００７】
請求項１に記載の考案によれば、フランスパンスコップの先端にローラーを付けることで、底部分を滑らせるので、
フランスパンスコップをオーブンにスムーズに出し入れすることができる。
【図面の簡単な説明】
【０００８】
【図１】従来からあるフランスパンスコップの先端形状
【図２】この考案に係るフランスパンスコップの先端形状
【図１】
0003211379.tif 000003
【図２】
0003211379.tif 000004
(57)【要約】      （修正有）【課題】鍋の蓋の内壁にアルミニューム箔又は不織布のカバーを取り付ける事により鍋の蓋が直接汚れなくし、カバーは使い捨て故汚れた段階で取り換え、依って面倒な鍋蓋を頻繁に洗わないで済む、という便利な使い捨て鍋蓋カバーを提供する。【解決手段】アルミニュームのカバーの場合、蓋よりやや大きめの円形又は粘着しやすい形状に裁断されたアルミニューム箔１の中央部に接着剤２を設け、鍋蓋３を反転して置き接着剤部を鍋の内壁中央部に接着する。次に、柔らかいクッション材か指の腹で接着部より蓋の外縁方向に向かって円を描きながらアルミ箔を蓋の内壁に貼りつかせ、表返して蓋よりはみ出たアルミニュウム箔を柔らかいクッション材か指の腹で外上に折り曲げて撫で、蓋にこびりつかせてカバーを設けることに依り、カバーが油はねを受け止めて鍋蓋の内壁が汚れるのを防ぎ、又、汚れたら取り換えるだけですむ。【選択図】図１
0003211304.tif 000002
【実用新案登録請求の範囲】
【請求項１】
鍋蓋の内壁に蓋よりも大きなアルミ箔の表の中央に接着テープを設け、鍋蓋の内壁の中央に接着してアルミ箔を固定し、鍋蓋全体をアルミ箔で覆い被せ、鍋蓋が油はね等で汚れないようにすることを特徴とする使い捨て鍋蓋カバー
【請求項２】
鍋蓋の内壁に蓋よりも大きな不織布の周囲にゴム輪を設け、シャワーキャップ状に形成し、不織布の表の中央に接着テープを設け、鍋蓋の内壁の中央に接着させ、不織布を固定して鍋蓋全体を不織布で覆い被せ、鍋蓋が油はね等で汚れないようにすることを特徴とする使い捨て鍋蓋カバー
【考案の詳細な説明】
【技術分野】
【０００１】  本考案は鍋蓋の汚れを防ぐための使い捨てカバー
【背景技術】
【０００２】  揚げ物や炒め物をする時、鍋蓋を閉じてすると鍋蓋に油が撥ねて汚れ、使い終わったときに洗わなければならなかった。
【考案の概要】
【考案が解決しようとする課題】
【０００３】  揚げたり炒めたりすると鍋蓋は油はねで汚れて、調理が終わった後、毎回蓋を洗っていたが、この鍋蓋カバー（以下、カバーと言う）を使用する事で前述の欠点を解決しようとするものである。
【課題を解決するための手段】
【０００４】  本考案は鍋の蓋の内壁にアルミニューム箔又は不織布のカバーを、蓋よりも大きなアルミ箔又は不織布の裏の中央に接着テープを設けたカバーを鍋蓋の内壁に取り付ける事により鍋の蓋は直接汚れないし、カバーは使い捨て故、汚れた段階で取り換える。依って洗わないで済むという便利な考案物である。
【考案の効果】
【０００５】  上述に述べたように揚げたり炒めたり、特に揚げ物をする場合、蓋をしないで揚げていたが、蓋をしないで揚げた場合、油はねがガステーブルや換気扇その他の周辺に飛び散り、拭き掃除をするのが大変であった。依って、これから揚げ物をする際の提案として、材料を入れる時とひっくり返す時、取り出す時以外は蓋を閉めて揚げるようにすると、油はねが少なくなり掃除も楽になるので、油はねを防ぐには鍋の蓋を頻繁に開け閉めすることである。又、その鍋蓋に使い捨てカバーをすることに依り、油はねがひどくてもカバーを取り換えるだけで毎回掃除をしなくても済むという非常に優れた考案品である。
【図面の簡単な説明】
【０００６】
【図１】本発明のアルミカバーの正面図である
【図２】本発明のアルミカバーの実施例を示す断面図である
【図３】本発明のアルミカバーの実施例を示す使用図である
【図４】本発明の不織布カバーの裏Ａと表Ｂを示す斜視図である
【図５】本発明の不織布カバーの実施例を示す断面図である
【図６】本発明の不織布カバーの実施例を示す使用図である
【考案を実施するための形態】
【０００７】  アルミニューム箔製カバーの場合、鍋蓋よりやや大きめの円形にカットされたカバーの表面中央に接着テープを設け、鍋蓋を仰向けに置き、接着剤を蓋の中央に貼り付け、その接着点から外周までを柔らかいものか指の腹でグルグル回しながらカバーを鍋にこびりつかせる。
不織布のカバーの場合、形状はシャワーキャップの形状で外周にゴム輪と外部中央に接着剤を設ける。そして、蓋を逆さまに置き鍋の内部の中央にカバーの接着剤を貼り付けて固定し、カバーの外周に設けてあるゴム輪で蓋をカバーする。
【実施例】
【０００８】  以下、添付図面に従って一実施例を説明する。アルミ箔１は鍋蓋３よりやや大きめの円形又は鍋蓋３にマッチした形状のアルミ箔、２は鍋蓋３の裏面中央にアルミ箔１が鍋蓋の裏面に粘着するための接着剤、３は鍋蓋、４は指の腹又はスポンジのような柔らかい材質の塊でアルミ箔を鍋蓋に粘着させるもの。５は不織布のカバー、６はゴム輪で鍋蓋３に不織布のカバー５を被せ、接着剤２で鍋蓋３に接着させる。
【符号の説明】
【０００９】  １    アルミ箔
２    接着剤
３    鍋蓋
５    不織布カバー
６    ゴム輪
【図１】
0003211304.tif 000003
【図２】
0003211304.tif 000004
【図３】
0003211304.tif 000005
【図４】
0003211304.tif 000006
【図５】
0003211304.tif 000007
【図６】
0003211304.tif 000008